(57)【特許請求の範囲】
【請求項１】
保護用ヘルメット（１０）であって、
ヘルメットシェル（２０）と、
通信のための電子デバイス（８０）が配置される嵌合空間（３４）と、
前記ヘルメットシェル（２０）のヘルメットシェル内部（２１）に配置される支持ケージ（５０）と、
前記支持ケージ（５０）内または前記支持ケージ（５０）上に配置され、かつ音波を電子的に検出するためのセンサ（６１）を含むマイクロフォン（６０）とを含み、
前記マイクロフォン（６０）は、前記音波を捕捉して前記センサ（６１）に伝達するための受音部（６２）を更に含み、
前記受音部（６２）は、前記保護用ヘルメットの着用者の発声器官によって発せられ、かつ前記保護用ヘルメットの着用者の頭部（１）の上方を伝播する前記音波を捕捉可能とするべく前記保護用ヘルメットの着用者の前記頭部（１）の上方に配置され、
前記マイクロフォン（６０）は、信号接続手段（６５）を介して前記電子デバイス（８０）に接続されることにより、捕捉された前記音波を信号として前記電子デバイス（８０）に伝達し、
前記マイクロフォン（６０）は、空気を介して前記マイクロフォン（６０）に伝達される空気伝播音波を抑制するための空気伝播音吸音材（６３）を含み、
前記嵌合空間（３４）は、前記ヘルメットシェル（２０）の外側に配置され、かつハウジング（３２）によって取り囲まれ、
前記ヘルメットシェル（２０）に外部から接続されたヘルメットシェルアタッチメント（３０）が更に提供されて前記ハウジング（３２）の少なくとも一部を形成し、前記ヘルメットシェルアタッチメント（３０）を前記ヘルメットシェル（２０）に設けられた保持器内でシフトすることによって、前記保護用ヘルメットの前記ヘルメットシェル（２０）内に形成された通気スロットを開閉できるように構成されたことを特徴とする保護用ヘルメット。
【請求項２】
請求項１に記載の保護用ヘルメットであって、
前記センサ（６１）が圧電センサであることを特徴とする保護用ヘルメット。
【請求項３】
請求項１または２に記載の保護用ヘルメットであって、
前記受音部（６２）は、漏斗状に設計され、
前記センサ（６１）は、漏斗状に設計された前記受音部（６２）の中心領域（６２ｂ）に配置されていることを特徴とする保護用ヘルメット。
【請求項４】
請求項１〜３のいずれか１項に記載の保護用ヘルメットであって、
前記受音部（６２）は、前記頭部（１）の表面に面する凹形をなす曲率を有することを特徴とする保護用ヘルメット。
【請求項５】
請求項１〜４のいずれか１項に記載の保護用ヘルメットであって、
前記マイクロフォン（６０）が、前記支持ケージ（５０）を介して伝達された固体伝播音波を抑制するための固体伝播音吸音材（６４）を含むことを特徴とする保護用ヘルメット。
【請求項６】
請求項５に記載の保護用ヘルメットであって、
前記固体伝播音吸音材（６４）は、エラストマを含むことを特徴とする保護用ヘルメット。
【請求項７】
請求項６に記載の保護用ヘルメットであって、
前記エラストマは、ゴムであることを特徴とする保護用ヘルメット。
【請求項８】
請求項５〜７のいずれか１項に記載の保護用ヘルメットであって、
前記固体伝播音吸音材（６４）のみが、前記マイクロフォン（６０）を前記支持ケージ（５０）に物理的に直接接続することを特徴とする保護用ヘルメット。
【請求項９】
請求項５〜８のいずれか１項に記載の保護用ヘルメットであって、
前記固体伝播音吸音材（６４）は、前記マイクロフォン（６０）を前記頭部に当接させるために設けられた接触表面（６４ｂ）を含むことを特徴とする保護用ヘルメット。
【請求項１０】
請求項９に記載の保護用ヘルメットであって、
前記固体伝播音吸音材（６４）は、カップ状に設計され、かつ前記頭部に面する開口面（６４ｃ）を含み、
前記接触表面（６４ｂ）は、前記開口面（６４ｃ）を取り囲み、
前記受音部（６２）は、前記開口面（６４ｃ）上の前記固体伝播音吸音材（６４）の内部に配置されることを特徴とする保護用ヘルメット。
【請求項１１】
請求項９または１０に記載の保護用ヘルメットであって、
前記支持ケージ（５０）と前記頭部（１）との間の前記支持ケージ（５０）上に外側パッド（５８）及び内側パッド（５９）が配置され、
前記外側パッド（５８）及び前記内側パッド（５９）は、前記頭部（１）上の前記マイクロフォン（６０）の前記接触表面（６４ｂ）の周囲に延在することを特徴とする保護用ヘルメット。
【請求項１２】
請求項１〜１１のいずれか１項に記載の保護用ヘルメットであって、
前記空気伝播音吸音材（６３）は、発泡材料を含むことを特徴とする保護用ヘルメット。
【請求項１３】
請求項１２に記載の保護用ヘルメットであって、
前記空気伝播音吸音材（６３）は、前記受音部（６２）と相補的に形成された前記受音部（６２）の支持表面（６３ａ）を含むことを特徴とする保護用ヘルメット。
【請求項１４】
請求項１〜１３のいずれか１項に記載の保護用ヘルメットであって、
前記信号接続手段（６５）が電線であることを特徴とする保護用ヘルメット。
【請求項１５】
請求項１４に記載の保護用ヘルメットであって、
前記電線である前記信号接続手段（６５）が、少なくとも部分的に、前記空気伝播音吸音材（６３）内で螺旋状に延在することを特徴とする保護用ヘルメット。
【請求項１６】
請求項１４または１５に記載の保護用ヘルメットであって、
前記受音部（６２）はケーブルチャネル（６２ａ）を含み、
前記電線は、少なくとも部分的に、前記ケーブルチャネル（６２ａ）内に誘導されることを特徴とする保護用ヘルメット。
【請求項１７】
請求項１６に記載の保護用ヘルメットであって、
前記ケーブルチャネル（６２ａ）は、前記受音部（６２）内で螺旋状に延在することを特徴とする保護用ヘルメット。
【請求項１８】
請求項１〜１７のいずれか１項に記載の保護用ヘルメットであって、
前記電子デバイス（８０）は、回路基板（８１）、信号処理ユニット（８２）、電圧源（８３）、信号受信機（８４）、信号送信機（８５）、及び／または信号増幅器（８７）を含むことを特徴とする保護用ヘルメット。
【発明の詳細な説明】
【技術分野】
【０００１】
本発明は、保護用ヘルメットに関する。
【背景技術】
【０００２】
保護用ヘルメットは、実質的に、打撃すなわち衝撃を吸収し、かつ衝撃の方向を変えるための硬質ヘルメットシェルと、打撃すなわち衝撃などを受けた場合に内部に伝達される運動エネルギーを吸収し、着用の快適性を向上するための支持ケージとを含む。また、例えば、周囲の騒音を低減できるヒアリングプロテクタをヘルメットシェルの両側に配置してもよい。更に、このようなヘルメットには、例えば格子、またはプラスチック製の窓の形態のフェイスプロテクタを設けることができる。保護用ヘルメットは、例えば森林作業または建設作業などの騒々しい環境で、度々使用される。これらの環境では、周囲の騒音のため、他者とコミュニケーションを図ることは困難である。特に、製材作業、広範囲での森林作業、または、広い、及び／または多層建ての建物での建設現場の場合のように、視覚的接触なしで同僚とのコミュニケーションが起こりうるとき、及び、指示の伝達または受取、注意喚起、または情報交換などのために呼んでも聞こえない所で同僚とのコミュニケーションが起こりうるときに役立つ。
【発明の概要】
【課題を解決するための手段】
【０００３】
本発明の目的は、ヘルメットの着用者と、他者との間のコミュニケーションを改善する保護用ヘルメットを提供することである。
【０００４】
前記目的は、独立請求項の特徴によって解決される。本発明の有利な実施形態は、従属請求項に記載されている。 
【０００５】
本発明は、ヘルメットシェルと、通信用の電子デバイスが配置される嵌合空間と、ヘルメットシェル内部に配置された支持ケージと、支持ケージ内、または支持ケージ上に配置され、音波を電子的に捕捉するためのセンサを備えたマイクロフォンとを含む保護用ヘルメットに関し、前記マイクロフォンは、音波を捕捉して前記センサに伝達するための受音部を含み、前記受音部は、前記保護用ヘルメットの着用者の言語器官によって発せられて前記保護用ヘルメットの着用者の頭上を伝播する音波を捕捉することができ、前記マイクロフォンは、信号接続手段を介して電子デバイスに接続され、捕捉された音波を信号として電子デバイスに伝達する。なお、嵌合空間は、ヘルメット上に配置されることが好ましい。本発明による保護用ヘルメットは、例えば、無線により他のデバイスに信号を送信することによって、騒々しい環境下であっても、ヘルメットの着用者が話す言葉を他者に伝達することをより容易にする。ヘルメットを着用している人が話しているとき、音波は頭蓋骨に沿って伝播し、したがって、口から出てくるだけでなく、頭の他の位置でも伝達される。音波の大部分は、処理中に頭上、特に、例えば、冠状骨と頭頂骨とが交わる交点の脊柱の上を伝播する。マイクロフォンは、好ましくは、音波を最適に捕捉するために、この位置に配置される。支持ケージへの取り付けのために、着脱式の接続、特に面ファスナ接続が設けられているので、必要に応じてマイクロフォンを支持ケージに簡単に組み込み、支持ケージから再度取り外すことができる。マイクロフォンを支持ケージに固定するために、接着剤接続を提供することもできる。固定のために使用される接続は、他の音波を吸収して、マイクロフォンによって捕捉されないようにすることもできる。支持ケージによって伝達される固体伝播音波を良好に吸収するため、特に、緩い面ファスナ接続が使用される。ヘルメットシェルは、ヘルメットの着用者の優れた保護を保証するために、好ましくは硬質プラスチック材料から成る。更に、ヘルメットシェルには換気スロットが設けられ、ヘルメットの着用者の頭部の通気を行うようにして着用快適性を高める。支持ケージは、ヘルメットシェルから離間した位置に配置された頭部に当接するための支持リブを含み、ヘルメットシェルに当たる打撃が、ヘルメットシェルを介して頭部表面に直接伝達されることはない。同時に、支持ケージは、軟質材料、特にエラストマから成り、衝撃エネルギーを更に抑制し、着用快適性を向上させることが好ましい。マイクロフォンの受音部は、楕円形、特に円形の断面を有し、前記受音部は、頭部に面する表面を有し、前記表面は、前記頭部に面するセンサの表面より大きいことが好ましい。このようにして、受音部は頭上を伝播する音波の大部分を有利に捕捉することができるため、センサを比較的小さく設計することが好ましい。受音部はセンサに剛性接続されていることが好ましいため、したがって、受音部の刺激された振動は、センサに伝達され、そこで捕捉される。センサの断面は、形状が角形であってもよいが、円形であってもよい。更に、マイクロフォンは、支持ケージ上及び頭部上に配置されるため、音波を捕捉するための理想的な位置に常に配置される。特に、人の口の正面に配置され、容易に振動を引き起こす細長いアームによってそこに保持されるマイクロフォンとは異なり、振動を妨げることはなく、特に頭部の移動によるマイクロフォンと頭部との間の相対運動は生じない。マイクロフォンと電子デバイスとの間の信号接続手段は、電気接続または無線接続であってもよい。電気接続の場合、電気ケーブルをマイクロフォン、特にセンサと電子デバイスとの間に配置し、電気ケーブルは他の音源から有利に遮蔽され、干渉ノイズが電気ケーブルを介してマイクロフォンに伝達されないことが好ましい。
【０００６】
好ましくは、センサは圧電センサであると考えられる。圧電センサは、マイクロフォンが極めて低い高さに設置されることを有利に可能にして、快適に着用され得る。あるいは、センサは、ピアゾ抵抗型センサ、容量センサ、電磁センサ、電気力学センサ、または静電センサであってもよい。
【０００７】
更に、保護用ヘルメットは、受音部が漏斗状に形成され、センサが漏斗状受音部の中央領域に配置されるという点で、更に有利に発展し得る。中央領域にセンサを配置することにより、頭部から発せられる音波はセンサに有利に均一に伝達される。受音部が漏斗状であり、特に頭部と相補的な表面を有するという事実のため、音波は干渉なしに捕捉され得る。
【０００８】
更に、保護用ヘルメットは、受音部が頭部の表面に面する凹形をなす曲率を有するよう、有利に形成することができる。凹形をなす曲率は、例えば、パラボロイドであってもよい。このようにして形成されたパラボラ受音部のために、音波の、特に幅広い周波数スペクトルを捕捉することができる。更に、パラボラ受音部の開口方向以外の方向から入る干渉音波が、受音部の振動に与える影響は著しく小さい。
【０００９】
マイクロフォンは、支持ケージを介して伝達される固体伝播音波を抑制するための固体伝播音吸音材を含むことが更に考えられ得る。この場合、固体伝播音吸音材は、外側に向いた受音部を除いてマイクロフォンを完全に包囲するのが好ましく、固体伝播音吸音材は、ポット形状またはカップ形状を有することが好ましい。なお、マイクロフォンの残りの構成要素は、固体伝播音吸音材の内側に配置される。しかし、固体伝播音吸音材はまた、空気伝播音波をセンサまたは受音部に伝達することなく、または空気伝播音波を少なくとも抑制することなく、少なくとも部分的には、空気伝播音波を吸収し得る。固体伝播音吸音材は、打撃、及び／または衝撃抑制の特徴も有し得る。
【００１０】
保護用ヘルメットの好ましい実施形態では、固体伝播音吸音材がエラストマを含むことが考えられる。固体のエラストマは、高い弾性を有する。この理由から、エラストマは、例えば支持ケージを介してマイクロフォンに伝達される固体伝播音波の吸収、及び／または抑制によく適している。
【００１１】
なお、エラストマはゴムであることが特に考えられ得る。ゴムは容易に入手可能であり、低コストで処理することができるが、それにも関わらず優れた吸音特性を有する。
【００１２】
更に、保護用ヘルメットは、固体伝播音吸音材のみがマイクロフォンを支持ケージに直接物理的に接続するという点で、更に発展し得る。このようにして、固体伝播音波がマイクロフォンの他の構成要素によって捕捉されてセンサに伝達されることが防止され、特に、取り付け箇所で発生するこれらの固体伝播音波は、ヘルメットと、ヘルメットシェル上に配置された構成要素との間の摩擦によって生じる干渉ノイズを引き起こす。この配置によってセンサから音響的に分離された干渉し得る他の音源は、例えば、保護用ヘルメット上に配置されたスピーカである。
【００１３】
好ましい実施形態では、固体伝播音吸音材は、ヘッドのマイクロフォンが当接するために設けられた接触表面を含むことが考えられる。このようにして、有利には、気密に外部に向けられたチャンバが、マイクロフォンの内部に形成され、残りの構成要素が配置され得る。例えば、円筒状に形成された固体伝播音吸音材は、その外側で、円形の、すなわち相補的に形成された支持ケージ内の開口部に挿入され、このようにして支持ケージによって伝達された干渉する固体伝播音波を吸収する
【００１４】
特に、固体伝播音吸音材はカップ形状に設計され、頭部に面する開口面と、開口面を取り囲む接触表面と、開口面の固体伝播音吸音材の内部に配置された受音部とを有することが考えられる。このようにして、開口面に配置された受音部を除き、マイクロフォン全体が吸音されることが、有利に保証される。開口面の反対側には、カップ形状であるために、支持ケージへの当接及び固定のために有利に適している上部前壁が形成されている。
【００１５】
有利には、支持ケージとヘッドとの間にパッドが配置され、かつ、パッドは少なくとも頭部上のマイクロフォンの接触表面の周囲に延在しているという点で、保護用ヘルメットは改良される。したがって、パッドは、支持ケージを緩衝するだけでなく、マイクロフォンの接触表面と頭部表面との間の接続領域を防音的な方法で遮断するためにも有利である。パッドは、マイクロフォンの接続表面と、頭部との間に延在することも考えられる。パッドは、毛髪の束によってさまざまな密度を有する頭部から生えている髪を気密に包囲して、マイクロフォンと頭部表面との間に密閉接触が確立されるようにすることが特に有利である。更に、パッドは緩衝のために役立ち、したがって、保護用ヘルメットの着用快適性を改良する。
【００１６】
更に、保護用ヘルメットは、空気を介してマイクロフォンに伝達される空気伝播音波を抑制するための空気伝播音吸音材をマイクロフォンが含む点で、更に発展し得る。すべての音波が、固体伝播音吸音材に吸収されるわけではない。例えば、非常に柔らかく、特に軽量の材料を含み、更に、高い多孔性を有する空気伝播音吸音材により、特に空気伝播音波、すなわち空気を介しマイクロフォンに伝達される音波は、吸収され得る。空気伝播音吸音材は、空気伝播音波だけでなく固体伝播音波も吸収することが好ましい。また、空気伝播音吸音材は、打撃、及び／または衝撃抑制特性を有し得る。
【００１７】
更に、空気伝播音吸音材は特に、空気伝播音吸音材が発泡材料を含むという点で更に発展し得る。発泡材料は、容易に製造及び形成することができ、優れた吸音特性を有し、したがって、空気伝播音吸音材のために理想的な材料である。発泡材料の孔径は、ここで吸収される音波の波長スペクトル内であることが有利である。
【００１８】
これに加えて、またはこの代わりに、空気伝播音吸音材は、受音部と相補的に形成された受音部のための支持表面を含むことが考えられる。受音部が支持表面に当接することにより、特定の周波数範囲、及び受音部の望ましくない振動を抑制することができる。更に、例えば打撃によるマイクロフォン内の受音部の自由振動が、それによって有利に防止される。
【００１９】
更に、保護用ヘルメットは、信号接続手段が電線であるように適切に形成され得る。電線は、任意の追加の送信機及び受信機を必要とせず、低コストで製造できる点で、無線接続と比較して有利である。電線は、少なくとも部分的にはケーブルとして形成され、好ましくはゴム内に銅線を含み、更に、ケーブルは減衰器によって取り囲まれていてもよい。電線は、ヘルメットシェルの内側表面に沿って延在してそこに誘導され、電線を導くための誘導手段、例えば小穴やクリップが設けられることが考えられる。電線はまた、適切な場所に接着されてもよい。特に、電線は、プラグ接続、好ましくはシンチコネクタ接続が提供されることにより電子デバイスに接続されてもよい。嵌合空間がヘルメットシェルの外側表面上に移動可能に配置されている場合、電線は、部分的には摺動接触または弾性ケーブルによって形成され、移動に追従することができると考えられる。
【００２０】
電線と空気伝播音吸音材とを含む実施形態の好ましい更なる発展は、少なくとも部分的には、空気伝播音吸音材内に螺旋状に延在する電線を提供する。このようにして、空気伝播音吸収材上の電線の広範囲にわたる当接の結果、電線によって伝達される固体伝播音波は有利に抑制される。特に、少なくとも１つの完全な螺旋状の巻線を含む空気伝播音吸音材における誘導は、導電体内で反射された固体伝播音波が抑制されるべく選択される。
【００２１】
ここで特に、受音部がケーブルチャネルを含み、電線が少なくとも部分的にケーブルチャネル内を誘導されることが考えられる。このようにして、電線がセンサに到達する前に端部で自由振動することが防止される。電線は、特に、このように受音部とは別の周波数で振動し、センサに深刻な干渉を引き起こすことが防止される。
【００２２】
受音部は、特に好ましくは、ケーブルチャネルが受音部内で螺旋状に延在すべく形成することができる。このようにして、受音部と電線との間の広範囲にわたる接触領域がケーブルチャネル内に形成され、伝達された固体伝播音波が受音部の振幅にほとんど影響を与えないようにする。特に、受音部への不均整な音伝達は、このようにして防止されるか、または少なくとも低減され得る。ケーブルチャネルは、受音部が空気伝播音吸音材の支持表面に当接する受音部の側面に延在して、電線の振動がより効果的に抑制され得る。
【００２３】
更に、保護用ヘルメットは、嵌合空間がヘルメットシェルの外側に配置され、ハウジングによって取り囲まれているという点で、更に発展し得る。このように、保護用ヘルメットの内部は、ヘルメットシェルによってのみ有利に囲まれているので、衝撃によって構成要素が外れて保護用ヘルメット内で制御不能に動く可能性はない。更に、有用なことに、スピーカデバイス及び電子デバイスのための保護が、ハウジングによって形成される。 
【００２４】
特に好ましくは、保護用ヘルメットは、更に、外側からヘルメットシェルに接続されたヘルメットシェルアタッチメントが提供され、ハウジングの少なくとも一部を形成するように形成され得る。ヘルメットシェルアタッチメントは、その後ヘルメットシェルに接続されてもよく、スピーカデバイス、及び電子デバイスがヘルメットシェルアタッチメントと共にヘルメットシェルに取り付けられるか、または既にヘルメットシェルに取り付けられており、着脱式のヘルメットシェルアタッチメントのため、例えばバッテリ交換のために容易にアクセス可能であり得る。ヘルメットシェルアタッチメントは、接続壁を含み、接続壁によってヘルメットシェルに取り付けられてもよい。更に、ハウジングは、ヘルメットシェルアタッチメントの接続壁とヘルメットシェルとを含み、接続壁は、有利には、残りのヘルメットシェルアタッチメントに移動可能に配置され、そこに固定可能であり得る。更に、特に、接続壁がヘルメットシェルに向かう嵌合空間を画定することが考えられる。これに加えて、ヘルメットシェルアタッチメントとヘルメットシェルとの接続壁は共に、ヘルメットシェルアタッチメントをヘルメットシェル上に固定するための手段を含むことが考えられる。固定手段は、マイナスの接続のためのプラグ接続、及び／またはプラスの接続のためのキャッチ接続を含んでいてもよい。好ましい実施形態では、ヘルメットシェルアタッチメントは、ヘルメットシェルに設けられた保持器内でシフトされることによって、保護用ヘルメットのヘルメットシェル内に形成された通気スロットを開閉することもできる。
【００２５】
電子デバイスは、回路基板、信号処理ユニット、電圧源、信号受信機、信号送信機、及び／または信号増幅器を含むことが更に考えられる。回路基板はスピーカデバイスだけでなく、電子デバイスの電子構成要素への組織化された接続を確立することを、簡単な方法で可能にする。マイクロフォン、または信号受信機から発せられた信号を処理するために、例えばマイクロチップまたはプロセッサの形態の信号処理ユニットを設けることができる。更に、入力信号を、信号増幅器、例えば前置増幅器によって、信号処理ユニットに処理される信号強度に適合させることができる。例えば、信号受信機及び信号送信機は、電磁信号を介して周囲と通信するための無線受信機及び無線送信機である。しかし、信号受信機及び信号送信機は、赤外線受信機及び赤外線送信機であってもよい。特に、信号受信機及び信号送信機は、モバイルネットワークまたは無線送信に適した送信機及び受信機、または、Ｂｌｕｅｔｏｏｔｈ（登録商標）またはＷｉ−Ｆｉを処理することができる送信機及び受信機であってもよい。このようにして、保護用ヘルメットは、例えば、他人と電話で連絡を取ったり、ラジオ放送を取得したり、携帯電話、特にスマートフォンで通信したりするために使用され得る。特に、保護用ヘルメットはまた、携帯電話のアプリによって操作されてもよく、このアプリは、保護用ヘルメットの電子デバイスのスイッチをオンオフしたり、音量、マイクロフォンの感度、または無線周波数に関する調節を行ったり、または電子デバイスを特定の環境に適合させることができる。この点について、音量、マイクロフォンの感度、及び周波数プロファイルについて予め設定されたプロファイルは、アプリによってアクセスされて電子デバイスに送信されるか、またはアプリからの信号に基づいて電子デバイスのメモリから検索される。 
【００２６】
保護用ヘルメットの更に有利な発展では、空気伝播音波を発生させるためのスピーカデバイスが、少なくとも、第１スピーカと、ヘルメットシェルに取り付けられたヒアリングプロテクタとを含む嵌合空間内に配置され、ヒアリングプロテクタとスピーカデバイスとの間に音響線が設けられて、スピーカによって発生した空気伝播音波をヒアリングプロテクタの音響出力部に導くことが考えられる。このようにして、スピーカデバイスと音響出力部とを組み合わせた保護用ヘルメットが提供され、特に、ヘルメットの着用者と通信するために、外側から保護用ヘルメットに追加のチューブまたは他の音響線を持ち込む必要はない。更に、そこに設けられる可能性のあるスピーカを供給するための、ヒアリングプロテクタへの電気接続は必要とされない。既存のヒアリングプロテクタは、都合のよいことにほぼそのまま再利用することができ、ヒアリングプロテクタの軽微な構造適合、例えば音響線のための孔のみが必要とされる。更に、このようにして、保護用ヘルメットの着用者がヒアリングプロテクタを着用しているときでさえ、外部から通信することができるという利点がある。特に、電子デバイスはスピーカデバイスに電子接続されて、空気伝播音波に変換される電子信号をスピーカ装置に伝達することが考えられる。このようにして、例えば、ヘルメットの着用者は無線接続を介して通信することができる。ヒアリングプロテクタは、ヘルメットシェルから着脱可能に形成されていてもよい。ヒアリングプロテクタは、背面に折り畳み可能に設計されていてもよい。例えば、音響線は特に、連続した内部断面を有する軟質シリコンチューブであってもよく、所望の位置に折り畳むことができるが、同時に、音響線において可能である最大限の層流が行き渡っている。このようにして、音響線は、通路、例えばヒアリングプロテクタの聴覚キャビティ内の孔を通って導かれ、したがって、空気伝播音波を音響的に出力するために使用され得る。更に有利な発展では、スピーカデバイスから発生した音波の主な発散方向は、保護される頭部から離れる方向に向けられることが考えられる。このようにして、スピーカデバイスによって発生した音波、または音波の極一部は、固体伝播音波に変換されず、ヘルメットの着用者への刺激は回避される。特に、このようにして、支持ケージ上に配置されたマイクロフォンのフィードバックが回避される。更に、スピーカデバイスから発せられる固体伝播音波の吸音も容易になる。スピーカは、１つまたは２つの膜を含んでいてもよい。
【００２７】
更に、スピーカデバイスは、スピーカデバイスが第２スピーカを含み、２つのスピーカが中間領域によって相互に分離されるように設計されてもよい。このようにして、ヒアリングプロテクタの２つの聴覚保護キャビティはそれぞれ、簡単な方法で音に満たされ得る。相互干渉は、中間領域によって回避または低減される。中間領域は、音響減衰に順応し、干渉を更に低減させることができる。例えば、電子デバイスは中間領域に収容されてもよい。 
【００２８】
有利には、スピーカデバイスの各スピーカは、面法線が頭部の表面の各々の接線と平行に延びる膜を含み、スピーカによって発生した音波の主な発散方向がヘッドから離れる方向に向くようにすることが考えられる。このようにして、スピーカデバイスによって発生した音波、または音波の極一部は、固体伝播音波に変換されず、ヘルメットの着用者への刺激は回避される。
【００２９】
これに加えて、またはこの代わりに、スピーカデバイスの各スピーカは、面法線がマイクロフォンによって占有される空間の外側に延在する膜を含むことが考えられる。このようにして、出力音波の極一部のみがマイクロフォンの方向に放出されるため、支持ケージ上に配置されたマイクロフォンによる、いかなるフィードバックも有利に回避されるか、または低減される。更に、スピーカデバイスから生じる固体伝播音波の吸音も容易になる。
【００３０】
好ましくは、スピーカデバイスの各スピーカには、それぞれのスピーカを第１出力チャンバ及び第２リアチャンバに分割して、これらのチャンバを相互に関して気密に密閉する膜が設けられ、音響フィードバックが回避される。膜は、上記の膜の１つであってもよい。
【００３１】
スピーカは、第１出力チャンバが音響線用の出口を含み、第２リアチャンバが密閉されるべく設計されてもよい。このようにして、ヘルメットの着用者に向けられた通信が外界に知覚できることは、有利に回避され得る。この場合、第２リアチャンバはそれぞれ、できるだけ大きくなるように設計され、嵌合空間内の音響出口を含む第１出力チャンバの倍の空間を占有し得る。このようにして、後側の膜によって発生した空気伝播音波は十分に分散され、膜によって分離されたチャンバ間のフィードバックは有利に回避される。
【図面の簡単な説明】
【００３２】
【図１】本発明による保護用ヘルメットの概略正面断面図である。
【図２】本発明による保護用ヘルメットの一実施形態の平面図である。
【図３】マイクロフォンを含む本発明による保護用ヘルメットの支持ケージの概略図である。
【図４】詳細に図示されたマイクロフォンを含む、図３に示された支持ケージの断面図である。
【図５】音響ヘルメット通信システムの第１実施形態の概略図である。
【図６】音響ヘルメット通信システムの第２実施形態の概略図である。
【図７】音響ヘルメット通信システムの第３実施形態の概略図である。
【図８】音響ヘルメット通信システムの第４実施形態の概略図である。
【発明を実施するための形態】
【００３３】
以下の図面の説明において、同一の数字は、同一の、または同等の構成要素を示す。
【００３４】
ヘルメット通信システム全体の概要を示すために、ヘルメットシェル２０と、ヘルメットシェル２０に取り付けられたヘルメットシェルアタッチメント３０と、ヘルメットシェル２０に取り付けられたヒアリングプロテクタ４０とを含む保護用ヘルメット１０が、図１に概略的に示されている。ヘルメットシェルアタッチメント３０は、ヘルメットシェル２０の外側表面に着脱可能に取り付けられ、ヘルメットシェル２０とヘルメットシェルアタッチメント３０との間に配置された嵌合空間３４のためのハウジング３２をヘルメットシェル２０と共に形成し、ヘルメットシェル２０はハウジング内壁３２ａを形成し、ヘルメットシェルアタッチメント３０はハウジング外壁３２ｂを形成する。ヒアリングプロテクタ４０は、右耳保護キャビティ４１と、左耳保護キャビティ４２とを含む。ヘルメットシェル２０のヘルメットシェル内部２１において、保護用ヘルメット１０は、ヘルメットシェル２０より軟質な材料から成る支持ケージ５０を含み、保護用ヘルメットの着用快適性を向上させ、打撃を抑制する。支持ケージ５０の中心には、音波を捕捉して受信するためのマイクロフォン６０が設けられている。マイクロフォン６０は特に、保護用ヘルメット１０の着用者が話す言葉を捕捉することができ、その言葉は着用者の頭部１の上を伝播する。頭部１は、よりよく概要を示すために、図５〜図８にのみ図示されている。この場合、保護用ヘルメット１０の着用者が話す言葉はこの位置で特に明確に捕捉できるため、マイクロフォン６０の位置は、冠状骨と頭頂骨との間の接続線の上である。
【００３５】
嵌合空間３４には、スピーカデバイス７０と、通信用の電子デバイス８０とが配置されている。スピーカデバイス７０は、電子デバイス８０から送信された電子信号を音響信号に変換して、ヒアリングプロテクタ４０に送信する。スピーカデバイス７０と電子デバイス８０との間、すなわち右耳保護キャビティ４１と左耳保護キャビティ４２との間には、スピーカデバイス７０によって発生した空気伝播音波を伝達するための弾性シリコーンのチューブとして形成された第１音響線７７、及び第２音響線７８がそれぞれ設けられている。このように形成された音響線は、その経路に沿って均一な断面を有し、音響信号が曝される干渉を可能な限り小さくする。保護用ヘルメット１０の着用者は、右耳保護キャビティ４１、及び左耳保護キャビティ４２に入る音波をよく聞くことができる。スピーカデバイス７０と、第１音響線７７及び第２音響線７８と、ヒアリングプロテクタ４０とは、ヘルメットの着用者の耳に音波を伝達するための音響ヘルメット通信システムを形成する。
【００３６】
図２には、保護用ヘルメット１０の一実施形態の平面図が示されている。ヘルメットシェル２０は破線で示され、ヘルメットシェルアタッチメント３０は実線で示されている。破線で示されたより小さい要素は、スピーカデバイス７０及び電子デバイス８０の個々の構成要素と、ヘルメットシェルアタッチメント３０をヘルメットシェル２０に取り付けるために設けられた接続手段とである。接続手段は、ヘルメットシェルアタッチメント３０から下方に、すなわちグラフィック平面内に突出するラッチアーム３６、及びヘルメットシェル２０内に形成された収容スロット２６である。ラッチアーム３６は、ヘルメットシェル２０内の関連する収容スロット２６に挿入され、その中に掛け止めされてもよい。このようにして、ヘルメットシェルアタッチメント３０はヘルメットシェル２０に固定され、ヘルメットシェル２０及びヘルメットシェルアタッチメント３０は、スピーカデバイス７０及び電子デバイス８０が据え付けられる嵌合空間３４のハウジング３２を形成する。スピーカデバイス７０及び電子デバイス８０は、ヘルメットシェルアタッチメント３０に下方から据え付けられて固定される。ヘルメットシェルアタッチメント３０は、非装着状態で下方から自由にアクセス可能であり、スピーカデバイス７０及び電子デバイス８０の構成要素の取り付け、交換、または修理を可能にする。ヘルメットシェルアタッチメント３０は、スピーカデバイス７０及び電子デバイス８０と共にヘルメットシェルに据え付けられるため、既存の保護用ヘルメットを簡単な方法で改造することができる。
【００３７】
本実施形態では、スピーカデバイス７０は、嵌合空間３４内に横方向に設置され、相互に空間的に分離された２つのスピーカである第１スピーカ７１と、第２スピーカ７２とを含む。第１スピーカ７１及び第２スピーカ７２は、太い破線で概略的に示されている。第１スピーカ７１及び第２スピーカ７２は空間的に分離されて配置されるため、右耳保護キャビティ４１のための独立した音響信号、及び左耳保護キャビティ４２のための独立した音響信号がそれぞれ発せられる。スピーカデバイス７０によって発せられた音響信号、及び電子デバイス８０によって発せられた、または捕捉された電気信号を伝達するために、ヘルメットシェル２０内の既存の換気チャネルをチューブ誘導チャネル２２、またはケーブル誘導チャネル２４として使用することができる。なお、スピーカデバイス７０に接続された第１音響線７７、及び第２音響線７８は、その出力が関連付けられた右耳保護キャビティ４１、及び左耳保護キャビティ４２で終端し、チューブ誘導チャネル２２を通っている。電子デバイス８０からマイクロフォン６０に延在する信号接続手段は、ケーブル誘導チャネル２４を通って導かれる。信号接続手段６５は、電線である。第１音響線７７、第２音響線７８、及び信号接続手段６５である電線は図１に示されており、より明確に説明するため図２には示されていない。
【００３８】
図２に示す電子デバイス８０は、複数の個々の電子構成要素も含み、これらは太い破線で概略的に示されている。本実施形態では、電子デバイス８０は、残りの電子構成要素の接続を容易にし、電子構成要素間に複数のケーブルが存在することを回避するための電子導体経路を備える回路基板８１を含み、それにより、構成要素とケーブルとの間の摩擦が回避され、固体伝播音波は発生しにくい。電子デバイス８０は更に、プロセッサまたは集積回路として形成された信号処理ユニット８２と、電圧源８３として役立つアキュムレータと、無線受信機として形成された信号受信機８４と、周囲、例えば移動通信ネットワークまたは無線送信によりＢｌｕｅｔｏｏｔｈ（登録商標）に適したデバイスと通信可能な無線送信機として形成された信号送信機８５とを含む。更に、信号接続手段６５である電線が接続され、マイクロフォン６０からの微弱な電気信号を受信し、増幅して信号処理ユニット８２へ送る信号増幅器８７が、回路基板８１上に配置されている。
【００３９】
信号処理ユニット８２及び電圧源８３としてのアキュムレータは、回路基板８１に差し込まれている。信号受信機８４及び信号送信機８５は、回路基板８１に横方向に繋がれている。信号受信機８４によって捕捉された無線信号は信号処理ユニット８２に伝達され、信号処理ユニット８２は信号増幅器８７を介して第１スピーカ７１、第２スピーカ７２、及びマイクロフォン６０に電子的に接続される。
【００４０】
変更実施形態では、ヘルメットシェルアタッチメント３０は、底面に向かった接続壁３０ａとして形成された別の壁を含むことができ、接続手段である収容スロット２６は、ヘルメットシェル２０の下方、すなわちヘルメットシェル２０に面する接続壁３０ａ上に配置されている。接続壁３０ａは、明確化のため、図１に概略的に示されている。この場合、ヘルメットシェルアタッチメント３０のみが嵌合空間３４のハウジング３２を形成し、スピーカデバイス７０及び電子デバイス８０の全ての構成要素は、ハウジング３２を形成するヘルメットシェルアタッチメント３０内に、保護された方法で別々に配置される。接続壁３０ａには、ヘルメットシェル２０内の既存の通路に対応する開口部が設けられており、線、及び信号接続手段６５である電線をヘルメットシェル２０の下方の領域に導くことができる。
【００４１】
いずれの場合でも、接続手段である収容スロット２６及びラッチアーム３６は、ヘルメットシェルアタッチメント３０の簡単で安全な交換を可能にし、例えば、スピーカデバイス及び電子デバイスを備えていない既存のヘルメットシェルアタッチメントを、スピーカデバイス７０及び電子デバイス８０を含むヘルメットシェルアタッチメント３０に置き換えることができる。特に、第１音響線７７、及び第２音響線７８は、ヘルメットシェル２０の内側表面からケーブル誘導チャネル２４に単に挿入されていることが考えられ、第１スピーカ７１、及び第２スピーカ７２は、下方から挿入されたケーブルが曲がらずに接続されるように配置されたスピーカ出力を含む。
【００４２】
図３では、支持ケージ５０の一実施形態の概略が側面図及び平面図で示され、マイクロフォン６０は、支持ケージ５０上に配置されている。同時に、支持ケージは、額の高さでヘルメットの着用者の頭部１に当接するための支持リブ５２と、着用者の頭部１に当接するための横リブ５４及び長手リブ５５とを含む。横リブ５４、及び長手リブ５５はそれぞれ、菱形に横向きに配置された２つの横リブ５４と、２つの長手リブ５５とを含む。マイクロフォン６０は、横リブ５４、及び長手リブ５５に下方から取り付けられ、支持ケージ５０の内部に突出している。支持ケージ５０をヘルメットシェル２０に固定するために、固定手段５６が保護用ヘルメット１０の側部に設けられている。保護用ヘルメット１０のライニングをより快適にするために、横リブ５４及び長手リブ５５の下の頭部表面に接触する外側パッド５８及び内側パッド５９が支持ケージの内部表面に設けられている。マイクロフォン６０は、横リブ５４及び長手リブ５５と、外側パッド５８及び内側パッド５９との間に配置され、頭部表面上のマイクロフォン６０のライニングも緩衝される。横リブ５４及び長手リブ５５が菱形に配置されているため、個々の支持リブである横リブ５４及び長手リブ５５の間の支持ケージ５０の中央にマイクロフォン６０を配置することができ、信号接続手段６５である電線は、中心開口部５７を通って上方に延在している。
【００４３】
図４には、支持ケージ５０上のマイクロフォン６０の配置の、より詳細な描写が示されている。マイクロフォン６０は、円筒形状を有する。マイクロフォン６０は、センサ６１である圧電センサと、頭部に面した凹形をなす曲率を有する漏斗状の受音部６２と、マイクロフォンのセンサ６１である圧電センサ及び受音部６２を収容するために配置された、発泡材料から成る空気伝播音吸音材６３とを含む。マイクロフォン６０に外側から届く空気伝播音波の大部分は、発泡材料によって吸収される。更に、マイクロフォン６０は、他の構成要素であるセンサ６１である圧電センサ、受音部６２、及び空気伝播音吸音材６３を取り囲み、かつマイクロフォン６０を支持ケージ５０に接続するゴム製のカップ状の固体伝播音吸音材６４と、特にその横リブ５４及び長手リブ５５とを含む。本実施形態では、固体伝播音吸音材６４は、支持ケージに直接物理的に接続されたマイクロフォン６０の唯一の構成要素であり、マイクロフォン６０の他の構成要素が支持ケージ５０によって伝達される固体伝播音波から遮蔽されることを意味する。ゴムは、支持ケージ５０によってマイクロフォン６０に伝達された固体伝播音波を受音部６２に伝達することなく良好に吸収するエラストマである。受音部６２は、破線で示されるケーブルチャネル６２ａを含む。なお、ケーブルチャネル６２ａは、空気伝播音吸音材６３に面する外側表面６２ｃ上に形成されている。ケーブルチャネル６２ａには、センサ６１を起点として電子デバイス８０に接続された信号接続手段６５である電線が配置され、空気伝播音吸音材６３を通過して延在する電線の断面は、螺旋状または略螺旋状である。同時に、信号接続手段６５である電線は固体伝播音吸音材６４まで導かれて通過し、ヘルメットシェル２０の内側表面に沿ってケーブル誘導チャネル２４まで延在し、そこに存在する嵌合空間３４に入り、嵌合空間３４において電子デバイス８０に接続される。信号接続手段６５である電線を介し、保護用ヘルメット１０によって伝達される固体伝播音波の大部分は、空気伝播音吸音材６３内に存在し、広範囲に渡って受音部６２に当接する電線の収容浮遊部分によってセンサ６１に到達することなく吸収される。このようにして、ヘルメット着用者の話す言葉のみが、センサ６１によって捕捉される。
【００４４】
本実施形態では受音部６２は木材から成るが、受音部６２はプラスチック材料または金属でできていてもよい。
【００４５】
マイクロフォン６０が頭部１に当接し、かつ空気伝播音波を遮断するために、マイクロフォン６０は、接触表面６４ｂで固体伝播音吸音材６４の突起６４ａに当接し、かつ、受音部６２でヘルメットの着用者の頭部１に当接する。本実施形態では、固体伝播音吸音材６４の接触表面６４ｂは円形に設計され、頭髪が圧縮されて、マイクロフォン６０の、頭部１への気密かつ防音性の接触が可能となる。このようにして、頭部１を介してマイクロフォン６０に到達する干渉ノイズ、または外部からの空気が吸収され、センサ６１は妨げられずに動作することができる。ヘルメットの着用者から頭部の受音部６２への音波の伝達を可能にするために、頭部１に面する受音部の縁は接触表面６４ｂに対して平行に配置され、この場合、受音部６２の形状は、受音部６２の漏斗状形態の頭部の形状に適合する。このようにして、頭部の受音部６２の当接は容易になり、これにより一般的な頭部形状を有する。更に、空気伝播音吸音材６３は、受音部６２の漏斗状の上壁面または外側表面６２ｃと相補的な受音部６２の支持表面６３ａを形成する凹部を含み、受音部６２は空気伝播音吸音材６３に当接可能である。このようにして、空気伝播音吸音材６３による干渉ノイズの吸収が達成され、干渉ノイズの吸収は全体的に改善される。
【００４６】
支持ケージ５０の下面に配置された外側パッド５８及び内側パッド５９はまた、頭部１と固体伝播音吸音材の接触表面６４ｂとの間に配置されているか、またはそこに延在しており、そこで圧縮されて空気伝播音波が内部に、したがってマイクロフォン６０のセンサ６１に外部から到達することを防ぐ。
【００４７】
パッドは、複数のパッド部分である外側パッド５８、及び内側パッド５９に分割されてもよく、例えば、１つの内側パッド５９のみがマイクロフォン６０の下方に延在する必要がある。
【００４８】
マイクロフォン６０は、必ずしも支持ケージ５０内、または支持ケージ５０と同じ高さに配置されていなくてもよく、固体伝播音吸音材６４の上側の開口面６４ｃで支持ケージ５０の下側に取り付けられていてもよい。例えば、この目的のため、特に、マイクロフォン６０と支持ケージ５０との間に着脱式の接続を提供するために、接着接続または面ファスナを設けることができる。図４には、固体伝播音吸音材６４の上側の開口面６４ｃ、したがってマイクロフォン６０の異なる配置位置である第１接触位置５０ａ、第２接触位置５０ｂ、第３接触位置５０ｃ、及び第４接触位置５０ｄが示されている。支持ケージ５０は、マイクロフォン６０を収容、及び／または接触させるための対応する１つの凹部を有するか、または凹部を有さない。
【００４９】
以下に説明される図５〜図８には、保護用ヘルメット１０の断面正面図がそれぞれ示されており、保護用ヘルメット１０の音響システムの異なる実施形態、特に、マイクロフォン６０の配置に関連する嵌合空間３４内のスピーカデバイス７０の第１スピーカ７１及び第２スピーカ７２の配置が記載されるが、右耳保護キャビティ４１及び左耳保護キャビティ４２への第１スピーカ７１及び第２スピーカ７２の音響信号の伝達経路も同様に記載される。第１スピーカ７１、及び第２スピーカ７２はそれぞれ、第１スピーカ７１及び第２スピーカ７２の第１内側チャンバ７５及び第２内側チャンバ７６を、第１出力チャンバ７５ａ及び第２出力チャンバ７６ａと、第１リアチャンバ７５ｂ及び第２リアチャンバ７６ｂとに分割する第１膜７３及び第２膜７４を含む。２つの各チャンバは、第１膜７３及び第２膜７４によって気密に、相互に分離されている。シリコーンチューブとして形成された第１音響線７７及び第２音響線７８は、チューブに対して相補的に形成された出口開口部を介して第１出力チャンバ７５ａ及び第２出力チャンバ７６ａから引き出される。以下では、出口開口部を音響出力部７９と呼ぶ。チューブは、ヘルメットシェルの内側からこの目的のために設けられたプラグイン収容部に挿入されてそこに保持され得ることが考えられる。１つ以上の第１スピーカ７１及び第２スピーカ７２の１つ以上の音響出力部７９と、右耳保護キャビティ４１及び左耳保護キャビティ４２の音響入力部とが、矢印によって概略的に示されている。
【００５０】
図５では、第１スピーカ７１及び第２スピーカ７２は、嵌合空間３４内に角度的に取り付けられて、それぞれの第１膜７３及び第２膜７４の第１面法線７３ａ及び第２面法線７４ａの延長部はマイクロフォン６０を通過する。定義を目的として、面法線は、静止した膜であると仮定される。マイクロフォン６０のこのような配置は、関連付けられた第１膜７３及び第２膜７４の第１面法線７３ａ及び第２面法線７４ａがマイクロフォン６０によって占有される空間と交差する第１スピーカ７１及び第２スピーカ７２の配置より実質的に深刻でない音響干渉を引き起こすことが判明している。この配置は、マイクロフォン６０のわずかな干渉と、平坦な嵌合空間３４の両方によって特徴付けられる。特に、第１スピーカ７１及び第２スピーカ７２の主放射方向は、第１膜７３及び第２膜７４の全面法線と交差して平均化された方向ベクトルによって画定され、特に、主放射方向は、マイクロフォン６０によって占有された空間を通過する。本実施形態では、第１スピーカ７１は、電子デバイス８０の少なくとも一部が配置される中間領域３４ａによって第２スピーカ７２から分離されている。中間領域３４ａでは、第１スピーカ７１の信号は、出力側の第２スピーカ７２に接続されている第２音響線７８に送信され、例えば反響などの干渉をそこに引き起こす。逆もまた同様である。中間領域３４ａは、例えば、更に別の吸音材を充填して、２つのスピーカの相互干渉を更に減少させることができる。
【００５１】
図６に示す音響システムの第２実施形態では、第１スピーカ７１及び第２スピーカ７２の別の実装技術が示されており、各第１膜７３及び第２膜７４の第１面法線７３ａ及び第２面法線７４ａは、反対方向に外側へ向けられて、ヘルメットシェル２０の頂点に接する接線と平行に伸びている。この配置によって発生するマイクロフォン６０の障害は最も弱い。 
【００５２】
図７には、音響システムの第３実施形態が示されており、単一の第１スピーカ７１のみが嵌合空間３４に配置されている。第１スピーカ７１の第１膜７３は、ヘルメットシェル２０の頂点に接する接線と平行に伸びる第１面法線７３ａを有する。スピーカによって発せられた音響信号を分割して、第１音響線７７及び第２音響線７８を介して関連付けられた右耳保護キャビティ４１及び左耳保護キャビティ４２にそれぞれ伝達する音響信号７９ａの分割要素が、第１出力チャンバ７５ａの出口開口部に接続される。
【００５３】
図８には、音響システムの別の実施形態が示され、単一の第１スピーカ７１が再度示されている。第２スピーカ（図示せず）は、反対方向に面する第１スピーカ７１の後ろに配置されてもよい。第１スピーカ７１の第１膜７３の第１面法線７３ａは、図中の円で囲まれた点の外に向けられている。このようにして前方に導かれた音波は、出力開口部を通じ、音響線を介して音波をそれぞれの耳保護キャビティへ誘導する音響信号７９ａの分割要素に導かれる。
【００５４】
第１スピーカ７１及び第２スピーカ７２の２つを有する場合、第１スピーカ７１及び第２スピーカ７２の両者は第１膜７３及び第２膜７４の第１面法線７３ａ及び第２面法線７４ａを有することができ、第１膜７３及び第２膜７４は、前方または後方に向けられた、または、前方または後方に面した方向性構成要素を有する。
【００５５】
上記の説明、図面、及び特許請求の範囲に開示された本発明の特徴は、本発明の実施のために、個々に、及び任意の組み合わせで重要であり得る。
【符号の説明】
【００５６】
１０    保護用ヘルメット
２０    ヘルメットシェル
２０ａ  ヘルメットシェル内側表面
２１    ヘルメットシェル内部
２２    チューブ誘導チャネル
２４    ケーブル誘導チャネル 
２６    収容スロット
３０    ヘルメットシェルアタッチメント
３２    ハウジング
３２ａ  ハウジング内壁
３２ｂ  ハウジング外壁
３４    嵌合空間
３４ａ  中間領域
３６    ラッチアーム
４０    ヒアリングプロテクタ
４１    右耳保護キャビティ
４２    左耳保護キャビティ
５０    支持ケージ
５０ａ  第１接触位置
５０ｂ  第２接触位置
５０ｃ  第３接触位置
５０ｄ  第４接触位置
５２    支持リブ
５４    横リブ
５５    長手リブ
５６    固定手段
５７    中心開口部
５８    外側パッド
５９    内側パッド
６０    マイクロフォン
６１    センサ
６２    受音部
６２ａ  ケーブルチャネル
６２ｂ  中心領域
６２ｃ  外側表面
６３    空気伝播音吸音材
６３ａ  支持表面
６４    固体伝播音吸音材
６４ａ  突起
６４ｂ  接触表面
６４ｃ  開口面
６５    信号接続手段
７０    スピーカデバイス
７１    第１スピーカ
７２    第２スピーカ
７３    第１膜
７３ａ  第１面法線
７４    第２膜
７４ａ  第２面法線
７５    第１内側チャンバ
７５ａ  第１出力チャンバ
７５ｂ  第１リアチャンバ
７６    第２内側チャンバ
７６ａ  第２出力チャンバ
７６ｂ  第２リアチャンバ
７７    第１音響線
７８    第２音響線
７９    音響出力部
７９ａ  音響信号
８０    電子デバイス
８１    回路基板
８２    信号処理ユニット
８３    電圧源
８４    信号受信機
８５    信号送信機
８７    信号増幅器
【図１】
0006660402.tif 000002
【図２】
0006660402.tif 000003
【図３】
0006660402.tif 000004
【図４】
0006660402.tif 000005
【図５】
0006660402.tif 000006
【図６】
0006660402.tif 000007
【図７】
0006660402.tif 000008
【図８】
0006660402.tif 000009